(57)【要約】【課題】  本発明は、縦断コンベヤ及び横断コンベヤの搬送方向が互いに横断方向に延在する、物品を縦軸方向に送るための縦断コンベヤから物品を横軸方向に送るための横断コンベヤへと棒状の物品を、特にシガレットを引き渡すための装置及び方法に関する。これまでに公知の装置及び方法は、確かに縦断コンベヤの１つの軌道からの相並んで配設された複数の物品の収容を可能にするが、排出は、個々に相前後して同じ軌道上で行なわれる。従って、棒状の物品を効率的に引き渡すためのコンパクトで柔軟な装置と、同様に、棒状の物品を効率的に引き渡すための簡単で柔軟な方法を提供する。【解決手段】  本発明による装置では、移送手段（１１）が、相並んで縦断コンベヤ（１５）の平坦な軌道（１４）上をその全てが供給される２つより多くの物品（１７）を収容し、横断コンベヤ（２３）の異なった軌道（２７，２８）へと複数の物品グループを排出するために形成されている。【選択図】        図１
2005089190.tif 000002
【特許請求の範囲】
【請求項１】
縦断コンベヤ（１５）及び横断コンベヤ（２３）の搬送方向（矢印１６もしくは矢印２４）が互いに横断方向に延在する、物品（１７）を縦軸方向に送るための縦断コンベヤ（１５）から物品（１７）を横軸方向に送るための横断コンベヤ（２３）へと棒状の物品を、特にシガレットを引き渡すための装置であって、複数の物品（１７）を縦断コンベヤ（１５）から収容し、収容された物品（１７）を横断コンベヤ（２３）へと排出するための収容部（１３）を有する移送手段（１１）を有する装置において、
移送手段（１１）が、相並んで縦断コンベヤ（１５）の軌道（１４）上をその全てが供給される２つより多くの物品（１７）を収容し、横断コンベヤ（２３）の異なった軌道（２７，２８）へと複数の物品グループを排出するために形成されていることを特徴とする装置。
【請求項２】
少なくとも１つの物品グループが、少なくとも２つの物品（１７）から構成されていることを特徴とする請求項１に記載の装置。
【請求項３】
移送手段（１１）が、縦断コンベヤ（１５）からそれぞれ複数の物品（１７）を同時に収容するための複数の収容部（１３）を有する唯一のドラム（１２）を有することを特徴とする請求項１又は２に記載の装置。
【請求項４】
移送手段（１１）もしくはそれぞれの収容部（１３）が、４つの物品（１７）を同時に収容し、２つの２個グループに物品（１７）を排出するために形成されていることを特徴とする請求項３に記載の装置。
【請求項５】
ドラム（１２）が、複数の、好ましくは６つ〜９つのアーム（１９）を備え、これらのアームに、４つの物品（１７）を収容するためのそれぞれ１つの収容部（１３）が配設されていることを特徴とする請求項３又は４に記載の装置。
【請求項６】
ドラム（１２）が、回転軸（２２）を中心として回転するように駆動可能であり、その際、回転軸（２２）が、縦断コンベヤ（１５）の搬送方向（矢印１６）に対して横断方向で横断コンベヤ（２３）の搬送方向（矢印２４）に延在することを特徴とする請求項３〜５のいずれか１つに記載の装置。
【請求項７】
アーム（１９）もしくは収容部（１３）が、それぞれドラム（１２）に対して相対的に回転するように駆動可能であることを特徴とする請求項６に記載の装置。
【請求項８】
収容部（１３）が、上から物品（１７）を収容するために形成されていることを特徴とする請求項３〜７のいずれか１つに記載の装置。
【請求項９】
横断コンベヤ（２３）が、軌道（２７，２８）を構成する２つの独立した中継ドラム（２５，２６）を有し、その際、両方の中継ドラム（２５，２６）が、ドラム（１２）と作用結合していることを特徴とする請求項３〜８のいずれか１つに記載の装置。
【請求項１０】
両方の中継ドラム（２５，２６）もしくはその回転軸（３２，３３）が、縦断コンベヤ（１５）の軌道（１４）の上に配設されていることを特徴とする請求項１〜９のいずれか１つに記載の装置。
【請求項１１】
中継ドラム（２５，２６）が、逆方向に駆動可能であることを特徴とする請求項９又は１０に記載の装置。
【請求項１２】
縦断コンベヤ（１５）及び横断コンベヤ（２３）の搬送方向（矢印１６もしくは矢印２４）が互いに横断方向に延在する、物品（１７）を縦軸方向に送るための縦断コンベヤ（１５）から物品（１７）を横軸方向に送るための横断コンベヤ（２３）へと棒状の物品を、特にシガレットを引き渡すための方法であって、
−移送手段（１１）によって縦断コンベヤ（１５）から複数の棒状の物品（１７）を収容するステップと、
−移送手段（１１）を回転させ、これにより所定の角度だけ物品（１７）を移動させるステップと、
−横断コンベヤ（２３）へと物品（１７）を排出するステップと
を有する方法において、
−縦断コンベヤ（１５）の軌道（１４）上をその全てが供給される相並んで配設された複数の物品（１７）が収容され、
−物品（１７）が、グループ方式で横断コンベヤ（２３）の独立した複数の軌道（２７，２８）へと排出される
ことを特徴とする方法。
【請求項１３】
物品グループが、時間及び場所をずらされて排出されることを特徴とする請求項１２に記載の方法。
【請求項１４】
４つの物品（１７）が、同時に収容され、それぞれ２つの物品（１７）が、グループ方式で９０°もしくは２７０°後に排出されることを特徴とする請求項１２又は１３に記載の装置。
【発明の詳細な説明】
【技術分野】
【０００１】
本発明は、縦断コンベヤ及び横断コンベヤの搬送方向が互いに横断方向に延在する、物品を縦軸方向に送るための縦断コンベヤから物品を横軸方向に送るための横断コンベヤへと棒状の物品を、特にシガレットを引き渡すための装置であって、複数の物品を縦断コンベヤから収容し、収容された物品を横断コンベヤへと排出するための収容部を有する移送手段を有する装置に関する。更に本発明は、縦断コンベヤ及び横断コンベヤの搬送方向が互いに横断方向に延在する、物品を縦軸方向に送るための縦断コンベヤから物品を横軸方向に送るための横断コンベヤへと棒状の物品を、特にシガレットを引き渡すための方法であって、移送手段によって縦断コンベヤから複数の棒状の物品を収容するステップと、移送手段を回転させ、これにより所定の角度だけ物品を移動させるステップと、横断コンベヤへと物品を排出するステップとを有する方法に関する。
【背景技術】
【０００２】
このような装置及び方法は、特にタバコ加工産業において使用される。シガレットストランド作成機械において、ストランドは、タバコから製造され、通常１つ分又は２つ分の長さのタバコスティックに分割される。タバコスティックは、その長手方向に送られ、別の処理のため、例えばフィルタを接合するためにフィルタ接合機械に引き渡されなければならない。このため、タバコスティックは、通常その縦軸搬送方向から横軸搬送方向へと転送され、その際、搬送方向は、更にまた互いに横断方向に延在する。
【０００３】
縦断コンベヤから横断コンベヤへと棒状の物品を引き渡すための多数の装置及び方法が存在する。公知の装置は、相並んで湾曲した軌道上に位置する複数の物品を収容し、これらの物品を相前後して軌道を構成するドラムへと排出する移送手段を備える。しかしながらこのような装置及び方法は、不十分な効率を備える。何故なら、移送手段及びドラムの搬送速度が個々の物品の中継に適合されなければならないからである。換言すれば、１つの物品しか、この時点では横断コンベヤに引き渡すことができない。更に公知の装置及び方法は、制限された柔軟性しか備えない。何故なら、排出が、唯一の軌道に対してしか行なうことができないからである。
【発明の開示】
【発明が解決しようとする課題】
【０００４】
従って、本発明の課題は、棒状の物品を効率的に引き渡すためのコンパクトで柔軟な装置を提供することである。更に、本発明の課題は、棒状の物品を効率的に引き渡すための簡単で柔軟な方法を提案することである。
【課題を解決するための手段】
【０００５】
この課題は、冒頭で述べた特徴を有する装置によれば、移送手段が、相並んで縦断コンベヤの軌道上をその全てが供給される２つより多くの物品を収容し、横断コンベヤの異なった軌道へと複数の物品グループを排出するために形成されていることによって解決される。これにより、驚くほど簡単で特に効果的な方法で、装置の効率が高められる。何故なら、複数の物品は、同じ時点及び共通の収容位置で収容し、異なった時点及び異なった排出位置で再び排出することができるからである。更に、本発明による装置は、非常に柔軟な処理を可能にする。何故なら、異なった軌道への排出が、異なった物品の同時処理を保証するからである。従って、例えば、物品グループは、後に配設されたフィルタ接合機械へと送ることができる一方で、同じ装置で、他の物品グループを梱包ユニットに送ることができる。
【０００６】
好ましいことに、移送手段は、縦断コンベヤからそれぞれ複数の物品を同時に収容するための複数の収容部を有する唯一のドラムを有し、その際、特にそれぞれの収容部は、４つの物品を同時に収容し、２つの２個グループに物品を排出するために形成されている。この形成によって、特にコンパクトで簡単な方法で、相並んで配設された４つのストランドを製造するためのシガレットストランド作成機械から後に配設された装置への物品の引渡しが保証されている。
【０００７】
本発明の有利な形成にあっては、横断コンベヤの両方の中継ドラムもしくはその回転軸が、縦断コンベヤの軌道の上に配設されており、これにより、有利な操作高さが得られる。更に、上からの縦断コンベヤからの物品の取出しは、技術的／構造的に簡単で、しかも下もしくは側面からの収容よりも確実である。
【０００８】
他方で、この課題は、冒頭で述べたステップを有する方法によれば、縦断コンベヤの軌道上をその全てが供給される相並んで配設された複数の物品が収容され、物品が、グループ方式で横断コンベヤの独立した複数の軌道へと排出されることによって解決される。この方法によって、効率的な引渡しが、コンパクトで柔軟な形で保証される。
【０００９】
有利なことに、４つの物品が、同時に収容され、それぞれ２つの物品が、グループ方式で９０°もしくは２７０°後に排出される。この方法は、構造的に特に簡単な方法で効率的で柔軟な物品の引渡しを可能にする。
【発明を実施するための最良の形態】
【００１０】
別の好ましい特徴及び実施形は、下位の請求項及び説明から分かる。特に好ましい実施形並びに方法を、添付図を基にして詳細に説明する。
【００１１】
示された装置は、シガレットストランド作成機械の縦断コンベヤから横断コンベヤへと物品を引き渡すために使用される。
【００１２】
装置１０は、移送手段１１を有し、この移送手段は、スパイダとも呼ばれ、その際、スパイダは、ドラム１２を備える。ドラム１２は、通常の形では、複数の収容部１３を備える。収容部１３のそれぞれは、縦軸方向で縦断コンベヤ１５の軌道１４上を搬送方向（矢印１６）に供給される４つの物品１７を同時に収容するために形成されている。軌道１４は、示された実施形にあっては平坦な軌道である。しかしながらこの軌道は、他の形でも、例えば湾曲させられた又は段付けされた／高さをずらされた軌道としても形成することができる。収容部１３は、それぞれ４つの舟形要素１８を備え、これらの舟形要素は、搬送をしている間に物品１７の収容及び保持をするために形成されている。このため、舟形要素１８は、例えば（図示されてない）吸気ライン等に接続されている。４つの舟形要素１８は、平行に相並んで、また一様に互いに間隔を置いてアーム１９に配設されており、このアームは、更にまた回転体２０に好ましいことに取外し可能に固定されている。相応のアーム１９及びこれらのアーム１９に配設された収容部１３を有する回転体２０の幾つかは、一様にドラム１２の周囲にわたって配分されている。６つ〜９つの回転体２０もしくはアーム１９の数が好ましい。回転体２０の回転軸２１は、ドラム１２の回転軸２２に対して平行に、しかしながらずらされて延在する。回転軸２１は、回転体２０が楕円形の軌道曲線を描くように、それぞれの回転体２０に対して偏心して延在する。ドラム１２及び縦断コンベヤ１５は、収容位置３６の領域内で互いに作用結合している。
【００１３】
回転体２０は、ドラム１２に対して相対的に移動可能であり、従って、ドラム１２に対する回転体２０の重複した移動が可能である。一方ではドラム１２の、他方では回転体２０の重複した回転によって、収容部１３もしくは舟形要素１８は、これらに「付着した」物品１７と共に、少なくとも収容部から排出部までの搬送をしている間、水平な面に対して平行に保持されている。物品１７の搬送方向でドラム１２の後に、ドラム１２から物品１７を取り出すための横断コンベヤ２３が配設されており、その際、横断コンベヤ２３の搬送方向（矢印２４）は、縦断コンベヤ１５の搬送方向（矢印１６）に対して横断方向に延在する。横断コンベヤ２３は、２つの中継ドラム２５，２６を有し、これらの中継ドラムは、物品１７を搬出するための軌道２７，２８を構成する。両方の中継ドラム２５，２６は、ドラム１２と、しかも排出位置３７もしくは３８の領域内で作用結合している。ドラム１２から物品１７を中継するため、中継ドラム２５は、収容部２９，３０を使用する。複数の収容部２９，３０は、一様に周囲にわたって配分されており、その際、固定の収容部２９と可動の収容部３０とが交互に配設されている。このため、可動の収容部３０は、旋回レバー３１に配設されている。それぞれ１つの固定の収容部２９と可動の収容部３０とは、物品グループを収容するためのユニットを構成する。中継ドラム２６は、専ら可動の収容部３０を使用し、これらの収容部は、同様に周囲に配分されている。収容部３０は、更にまた旋回レバー３１に配設されており、その際、中継ドラム２６の旋回レバー３１の長さ、従って旋回領域自身は、中継ドラム２５の場合よりも大きい。
【００１４】
回転体２０の回転軸２１とドラム１２の回転軸２２とは、縦断コンベヤ１５の搬送方向（矢印１６）に対して横断方向で横断コンベヤ２３の搬送方向（矢印２４）に延在する。両方の中継ドラム２５，２６もしくはその回転軸３２，３３は、縦断コンベヤ１５の軌道１４の上に位置する。回転軸３２，３３は、互いに一直線に並ぶように整向されており、ドラム１２の回転軸２２に対して横断方向で縦断コンベヤ１５の搬送方向（矢印１６）に延在する。中継ドラム２５，２６は、示された実施形にあっては逆方向に駆動可能であるか、もしくは駆動されている。中継ドラム２５，２６は、第１の排出位置３７が、９０°のドラム１２の回転角度の後で、第２の排出位置３８が、更に１８０°の、即ち物品１７の収容位置３６から２７０°のドラム１２の回転角度の後に構成されているように、ドラム１２に関連して配設されている。
【００１５】
縦断コンベヤ１５には、搬送方向（矢印１６）で移送手段１１の前に、分離要素３４が付設されている。分離要素３４は、提案された機械内で製造されたストランド３５から物品１７を分離するために使用される。
【００１６】
示されてない実施形にあっては、３つ又は４つ以上の舟形要素１８を収容部１３に配設することもできる。また回転要素２０、従ってアーム１９もしくは収容部１３の数を変化させる可能性もある。中継ドラム２５，２６は、軌道１４の下に配設することもできる。
【００１７】
以下で、図１を基にした、また４つの物品１７を２つの２個グループへと引き渡すための方法の原理を説明する。
縦断コンベヤ１５から、一平面内に位置する唯一の軌道１４上を、前に接続された（図示されてない）シガレットストランド作成機械において製造された複数の、好ましくは４つのタバコ等から成るストランド３５が移送手段１１、即ちドラム１２に送られる。縦断コンベヤ１５の搬送方向（矢印１６）でドラム１２の前に、分離要素３４が配設されており、この分離要素は、ストランド３５から、同時に軌道１４の幅全体にわたって物品１７を分離し、その際、物品１７は、例えばタバコスティックは、１つ分の又は２つ分のシガレット長さである。４つの物品１７は、次に平行で一様に相並んで収容位置３６に送られ、そこで、これらの物品は、ドラム１２もしくは舟形要素１８によって同時に収容され、即ち例えば吸引される。ドラム１２の回転によって、連続的にそれぞれ４つの物品１７は、同時に縦断コンベヤ１５から取り出される。物品１７は、次に９０°だけ回転軸２２を中心として旋回され（一方、収容位置３６では、４つの物品１７の別のセットが収容され）、その際、物品１７は、ドラム１２に対する収容部１３の重複した回転によって、常に水平で搬送方向（矢印１６）に整向された位置に残留する。９０°後で、２つの物品１７から成る第１の物品グループは、第１の排出位置３７で中継ドラム２６へと引き渡され、その際、物品１７は、このため移動可能な２つの収容部３０に置かれる。更に１８０°、即ち収容位置３６から出発して全体として２７０°後で、第２の物品グループは、好ましいことに同様に２つの物品１７から成るが、固定の収容部２９及び可動の収容部３０への排出位置３８の領域において中継ドラム２５へと引き渡される。連続的に回転する中継ドラム２５，２６は、物品１７を、次に横軸方向に別の処理に搬送する。同じ方法で連続的に、それぞれ４つの物品１７は、移送手段１１の多数の収容部１３によって、縦断コンベヤ１５から横断コンベヤ２３へと引き渡される。
【図面の簡単な説明】
【００１８】
【図１】１軌道の縦断コンベヤ、移送手段及び２軌道の横断コンベヤを有する本発明による装置の概略図を示す。
【図２】縦断コンベヤ、移送手段及び横断コンベヤを有する装置の図を平面図に示す。
【図３】図２による装置の図を斜め上及び後からの斜視図に示す。
【符号の説明】
【００１９】
１０    装置
１１    移送手段
１２    ドラム
１３    収容部
１４    軌道
１５    縦断コンベヤ
１６    矢印
１７    物品
１８    舟形要素
１９    アーム
２０    回転体
２１    回転軸
２２    回転軸
２３    横断コンベヤ
２４    矢印
２５    中継ドラム
２６    中継ドラム
２７    軌道
２８    軌道
２９    収容部
３０    収容部
３１    旋回レバー
３２    回転軸
３３    回転軸
３４    分離要素
３５    ストランド
３６    収容位置
３７    排出位置
３８    排出位置
【図１】
2005089190.tif 000003
【図２】
2005089190.tif 000004
【図３】
2005089190.tif 000005